(57)【要約】【課題】  素通し操作作業を適正かつ安全に行えるようにする。【解決手段】  自動電圧調整器２と携帯端末３とが通信自在に接続され、携帯端末３は、自動電圧調整器２のタップ位置を素通しタップに固定して行う素通し操作作業に関する作業手順を記憶し、作業手順に含まれる複数のステップを表示部に順次表示し、ステップにおいて自動電圧調整器２の状態を確認する必要がある場合に、自動電圧調整器から状態を取得し、該状態が所定の状態の場合に次のステップを表示部に表示する。【選択図】  図１
2020188620.tif 000002
【特許請求の範囲】
【請求項１】
自動電圧調整器と携帯端末とが通信自在に接続され、
前記携帯端末は、前記自動電圧調整器のタップ位置を素通しタップに固定して行う素通し操作作業に関する作業手順を記憶し、前記作業手順に含まれる複数のステップを表示部に順次表示し、前記ステップにおいて前記自動電圧調整器の状態を確認する必要がある場合に、前記自動電圧調整器から状態を取得し、該状態が所定の状態の場合に次のステップを前記表示部に表示する、
ことを特徴とする自動電圧調整器操作支援システム。
【請求項２】
素通しタップを備えた自動電圧調整器であって、
タップ位置を前記素通しタップに固定して行う素通し操作作業に関する作業手順を記憶し、前記作業手順に含まれる複数のステップを表示部に順次表示し、前記ステップにおいて該自動電圧調整器の状態を確認する必要がある場合に、該状態が所定の状態の場合に次のステップを前記表示部に表示する、
ことを特徴とする自動電圧調整器。
【発明の詳細な説明】
【技術分野】
【０００１】
この発明は、自動電圧調整器の素通し操作作業を支援する自動電圧調整器操作支援システムおよび、操作支援機能を備えた自動電圧調整器に関する。
【背景技術】
【０００２】
自動電圧調整器（ＳＶＲ、Ｓｔｅｐ  Ｖｏｌｔａｇｅ  Ｒｅｇｕｌａｔｏｒ）は、高圧配電線路の電圧を補償する変圧器であり、自動電圧調整器の送出電圧を検出し、この送出電圧と基準電圧とに基づいてタップ切替を行い、線路電圧を昇圧または降圧させるものである。このような自動電圧調整器には、複数個のタップを有する単巻変圧器が内蔵され、線路電圧を昇圧も降圧もしない場合は、タップ位置が素通しタップとなる。また、自動電圧調整器の現在タップ位置を判定し、その判定結果を表示する判定表示装置が知られている（例えば、特許文献１参照。）。
【先行技術文献】
【特許文献】
【０００３】
【特許文献１】特開２００６−１７９６８０号公報
【発明の概要】
【発明が解決しようとする課題】
【０００４】
ところで、自動電圧調整器を点検したり新たな自動電圧調整器に吊り替えたりする素通し操作作業の際には、所定の手順に従って自動電圧調整器のタップ位置を素通しタップに固定して作業を行う必要があり、従来、制御センタなどで作成された手順書に従って操作、作業を行っていた。しかしながら、作業者が操作を間違えたりした場合、自動電圧調整器や配電設備が循環電流によって損傷してしまうおそれがある。また、特許文献１に記載の判定表示装置では、現在のタップ位置が表示されるだけであり、操作ミスなどを回避することはできない。
【０００５】
そこでこの発明は、素通し操作作業を適正かつ安全に行えるようにする、自動電圧調整器操作支援システムおよび自動電圧調整器を提供することを目的とする。
【課題を解決するための手段】
【０００６】
上記課題を解決するために、請求項１の発明は、自動電圧調整器と携帯端末とが通信自在に接続され、前記携帯端末は、前記自動電圧調整器のタップ位置を素通しタップに固定して行う素通し操作作業に関する作業手順を記憶し、前記作業手順に含まれる複数のステップを表示部に順次表示し、前記ステップにおいて前記自動電圧調整器の状態を確認する必要がある場合に、前記自動電圧調整器から状態を取得し、該状態が所定の状態の場合に次のステップを前記表示部に表示する、ことを特徴とする自動電圧調整器操作支援システムである。
【０００７】
この発明によれば、素通し操作作業に関する作業手順の各ステップが携帯端末の表示部に順次表示され、ステップにおいて自動電圧調整器の状態を確認する必要がある場合には、自動電圧調整器から状態が取得される。そして、この状態が所定の状態の場合にのみ、次のステップが表示部に表示される。
【０００８】
請求項２の発明は、素通しタップを備えた自動電圧調整器であって、タップ位置を前記素通しタップに固定して行う素通し操作作業に関する作業手順を記憶し、前記作業手順に含まれる複数のステップを表示部に順次表示し、前記ステップにおいて該自動電圧調整器の状態を確認する必要がある場合に、該状態が所定の状態の場合に次のステップを前記表示部に表示する、ことを特徴とする。
【発明の効果】
【０００９】
請求項１および請求項２の発明によれば、素通し操作作業のあるステップにおいて自動電圧調整器の状態を確認する必要がある場合には、自動電圧調整器の状態が所定の状態か否かが人によらず自動で判断され、所定の状態の場合にのみ次のステップに進む。つまり、自動電圧調整器の状態が所定の状態でない場合には、インターロックがかかるため、素通し操作作業を適正かつ安全に行うことが可能となる。この結果、自動電圧調整器や配電設備の損傷、損傷による停電、自動電圧調整器の故障によって電圧調整ができなくなることなどを、防止することが可能となる。
【００１０】
しかも、請求項１の発明によれば、携帯端末の表示部に作業手順の各ステップが表示されるため、この携帯端末を所持することで複数の自動電圧調整器に対応することが可能となる。
【図面の簡単な説明】
【００１１】
【図１】この発明の実施の形態に係る自動電圧調整器操作支援システムを示す概略構成図である。
【図２】図１の自動電圧調整器操作支援システムの自動電圧調整器のタップ表示窓を示す図である。
【図３】図１の自動電圧調整器操作支援システムの自動電圧調整器のタップ切替スイッチを示す図である。
【図４】図１の自動電圧調整器操作支援システムの携帯端末を示す概略構成ブロック図である。
【図５】図４の携帯端末の素通しタスクによって表示される各画面を示す図である。
【図６】図５に続く各画面を示す図である。
【図７】図６に続く各画面を示す図である。
【発明を実施するための形態】
【００１２】
以下、この発明を図示の実施の形態に基づいて説明する。
【００１３】
図１は、この発明の実施の形態に係る自動電圧調整器操作支援システム１を示す概略構成図である。この自動電圧調整器操作支援システム１は、自動電圧調整器２の素通し操作作業を支援するシステムであり、自動電圧調整器２と携帯端末３とが通信自在に接続されている。ここで、素通し操作作業とは、自動電圧調整器２のタップ位置を素通しタップに固定して行う作業であり、自動電圧調整器２を点検したり新たな自動電圧調整器２に吊り替えたりする作業が含まれる。
【００１４】
この実施の形態では、素通し開閉器１１３の「入」操作を有する素通し操作作業について、主として以下に説明する。すなわち、上流側開閉器１１１と素通し開閉器１１３とが第１の電柱１０１に配設され、下流側開閉器１１２が第２の電柱１０２に配設されている。また、上流側開閉器１１１が上流側配電線１２１と自動電圧調整器２に接続され、下流側開閉器１１２が下流側配電線１２２と自動電圧調整器２に接続されている。そして、上流側配電線１２１からの電気が自動電圧調整器２で昇圧または降圧されて、下流側配電線１２２に流れるようになっている。
【００１５】
さらに、素通し開閉器１１３が上流側配電線１２１と下流側配電線１２２に接続され、上流側配電線１２１からの電気が素通し開閉器１１３を介して、そのまま下流側配電線１２２に流せるようになっている。ここで、図１では、わかりやすくするために、腕金やジャンパー線などを一部または全部省略している。
【００１６】
自動電圧調整器２は、携帯端末３との通信機能を除いて、従来の自動電圧調整器と同等の構成であるため、詳細な説明を省略するが、概略次のようなものである。すなわち、送出側（下流側配電線１２２側）の電圧を検出し、検出した電圧と所定の基準電圧とに基づいて、駆動軸を所定量回転させてタップ切替を行い、相応の電圧分を昇圧または降圧させることで、下流側配電線１２２側の電圧を基準電圧内に収まるように調整する。この自動電圧調整器２には、複数個のタップを有する単巻変圧器が内蔵され、線路電圧を昇圧も降圧もしない場合は、タップ位置が素通しタップとなる。また、自動で昇圧または降圧する際は、自動電圧調整器２の電圧調整継電器が作動して、タップ位置が素通しタップから昇圧タップまたは降圧タップに自動的に切り替えられる。
【００１７】
また、自動電圧調整器２には、図２に示すようなタップ表示窓２１が設けられ、このタップ表示窓２１から現在のタップ位置・状態の番号を目視確認できるようになっている。また、図３に示すようなタップ切替スイッチ（４３Ａ）２２を備え、このタップ切替スイッチ２２を操作することで、自動運転、手動運転の切り替えやタップ位置の固定などが行えるようになっている。ここで、この実施の形態では、タップ切替スイッチ２２を備える場合について説明するが、同等の機能でこれに代わるスイッチであってもよい。
【００１８】
このような従来からの構成に加えて、この自動電圧調整器２は、携帯端末３との通信機能を備える。すなわち、後述するように、携帯端末３から状態の問い合わせを受信した場合に、その状態を検知して携帯端末３に返信する機能である。具体的に、携帯端末３から問い合わせる状態としては、第１に、１次側電圧と２次側電圧が同等（所定の許容差異内）であるか否か、という電圧問い合わせがあり、これに対して、同等であるか否かを検知して携帯端末３に返信する。第２に、タップ位置が素通しタップで固定されているか、というタップ問い合わせがあり、これに対して、タップ位置が素通しタップで固定されているか否かを検知して携帯端末３に返信する。
【００１９】
携帯端末３は、作業者Ｍに携帯、使用される通信端末であり、スマートフォンやタブレット端末などで構成され、図４に示すように、タッチパネル（表示部、入力部）３１と、通信部３２と、メモリ３３と、素通しタスク（操作支援部）３４と、これらを制御などする中央処理部３５とを備える。タッチパネル３１は、各種情報を表示したり入力したりするためのインターフェイスであり、通信部３２は、自動電圧調整器２などと通信するためのインターフェイスであり、メモリ３３は、各種情報を記憶する記憶部である。
【００２０】
素通しタスク３４は、素通し操作作業に関する作業手順を記憶し、作業手順に含まれる複数のステップ・工程をタッチパネル３１に順次表示し、各ステップにおいて自動電圧調整器２の状態を確認する必要がある場合に、自動電圧調整器２から状態を取得し、この状態が所定の状態の場合に次のステップに進んでタッチパネル３１に表示するプログラム・タスクである。ここで、作業手順をメモリ３３に記憶し、メモリ３３から作業手順を読み取りながら順次ステップ（画面）を表示してもよい。
【００２１】
この素通しタスク３４に従った素通し操作作業方法を含めて、以下に具体的に説明する。
【００２２】
素通しタスク３４が起動されると、まず、図５の第１の画面Ｄ１に示すように、「ＳＶＲ素通し」ボタンをタッチパネル３１に表示する。次に、「ＳＶＲ素通し」ボタンがクリックされると、図５の第２の画面Ｄ２に示すように、「銘板とタップ表示窓で素通しタップを確認して下さい。」というメッセージをタッチパネル３１に表示する。ここで、自動電圧調整器２の銘板には、各タップ位置の番号に対する１次側電圧と２次側電圧との関係が標記されている。そして、作業者Ｍがタップ表示窓２１を見て、その番号が銘板に標記されている素通しタップ（１次側電圧と２次側電圧とが同値）の番号であるか否かを確認し、素通しタップであることを確認して「次へ」をクリックすると、図５の第３の画面Ｄ３をタッチパネル３１に表示する。
【００２３】
この第３の画面Ｄ３には、「タップ切替スイッチで素通しタップに移行し、固定（断）して下さい。」というメッセージが表示される。これに対し、作業者Ｍがタップ切替スイッチ２２を素通しタップに移行させて固定する。例えば、図３の場合、ノブ２２ａを手動の「断」（「降圧」と「昇圧」の間の「断」）に位置させる。そして、作業者Ｍが「次へ」をクリックすると、自動電圧調整器２に対して上記のような電圧問い合わせとタップ問い合わせを送信する。そして、自動電圧調整器２から１次側電圧と２次側電圧が同等である、という返信と、タップ位置が素通しタップで固定されている、という返信を受信すると、図５の第４の画面Ｄ４に示すように、「素通しタップに固定されました。」というメッセージをタッチパネル３１に表示する。
【００２４】
一方、自動電圧調整器２から１次側電圧と２次側電圧が同等でない、という返信を受信すると、図５の第５の画面Ｄ５に示すように、「素通しタップになっていません。」というメッセージをタッチパネル３１に表示する。同様に、自動電圧調整器２からタップ位置が素通しタップで固定されていない、という返信を受信すると、図５の第６の画面Ｄ６に示すように、「タップ切替スイッチが断になっていません。」というメッセージをタッチパネル３１に表示する。
【００２５】
そして、第５の画面Ｄ５または第６の画面Ｄ６で「次へ」がクリックされると、第３の画面Ｄ３に戻る。一方、第４の画面Ｄ４で「次へ」がクリックされると、図５の第７の画面Ｄ７に示すように、「素通し開閉器の操作または配電線の作業が可能です。」というメッセージをタッチパネル３１に表示する。続いて、「次へ」がクリックされると、図６の第８の画面Ｄ８に示すように、「素通し開閉器の操作？」、「配電線の作業？」というメッセージをタッチパネル３１に表示する。
【００２６】
さらに、「次へ」がクリックされると、図６の第９の画面Ｄ９に示すように、「素通し開閉器の操作」ボタン、「配電線の作業」ボタン、「ＳＶＲの吊替」ボタン、「ＳＶＲの点検（タップ切替）」ボタンをタッチパネル３１に表示する。そして、「ＳＶＲの吊替」ボタンまたは「ＳＶＲの点検（タップ切替）」ボタンがクリックされると、図６の第１０の画面Ｄ１０に示すように、「ＳＶＲ素通し」ボタンをタッチパネル３１に表示し、上記の第１の画面Ｄ１の状態に戻る。すなわち、ＳＶＲの吊替またはタップを動かす点検を行った場合には、吊り替えた新たなＳＶＲまたは点検後のＳＶＲに対する新たな操作となるため（リセットされるため）、初期状態に戻る。
【００２７】
一方、「素通し開閉器の操作」ボタンまたは「配電線の作業」ボタンがクリックされると、図６の第１１の画面Ｄ１１に示すように、「作業完了？」というメッセージと、「はい」ボタンおよび「いいえ」ボタンをタッチパネル３１に表示する。そして、素通し開閉器１１３の操作または配電線の作業が完了して、作業者Ｍが「はい」をクリックすると、図６の第１２の画面Ｄ１２に示すように、「自動運転に切り替えますか？」というメッセージと、「はい」ボタンおよび「いいえ」ボタンをタッチパネル３１に表示する。
【００２８】
そして、「はい」ボタンがクリックされると、図６の第１３の画面Ｄ１３に示すように、「素通し開閉器の操作を行って下さい。」ボタンおよび「タップ切替スイッチで自動運転に移行して下さい。」ボタンをタッチパネル３１に表示する。次に、素通し開閉器１１３の操作であって「素通し開閉器の操作を行って下さい。」ボタンがクリックされると、自動電圧調整器２に対して上記のような電圧問い合わせとタップ問い合わせを送信する。そして、自動電圧調整器２から１次側電圧と２次側電圧が同等である、という返信と、タップ位置が素通しタップで固定されている、という返信を受信すると、図６の第１４の画面Ｄ１４に示すように、「素通しタップに固定されているので、素通し開閉器は操作可能です。」というメッセージをタッチパネル３１に表示する。その後、素通し開閉器１１３の操作が完了して、第１４の画面Ｄ１４で「次へ」がクリックされると、図７の第１８の画面Ｄ１８に移行する。
【００２９】
これに対して、自動電圧調整器２から１次側電圧と２次側電圧が同等でない、という返信を受信すると、図７の第１５の画面Ｄ１５に示すように、「素通しタップになっていません。素通しタップに変更して下さい。」というメッセージをタッチパネル３１に表示する。同様に、自動電圧調整器２からタップ位置が素通しタップで固定されていない、という返信を受信すると、図７の第１６の画面Ｄ１６に示すように、「タップ切替スイッチが断になっていません。断にして下さい。」というメッセージをタッチパネル３１に表示する。そして、素通しタップに固定されて、第１５の画面Ｄ１５または第１６の画面Ｄ１６で「次へ」がクリックされると、上記の第１４の画面Ｄ１４をタッチパネル３１に表示する。
【００３０】
一方、図６の第１３の画面Ｄ１３において、配電線の作業であって「タップ切替スイッチで自動運転に移行して下さい。」ボタンがクリックされると、図７の第１７の画面Ｄ１７に示すように、「タップ切替スイッチで自動運転に移行して下さい。」というメッセージをタッチパネル３１に表示する。続いて、自動運転への操作が完了して「次へ」がクリックされると、図７の第１８の画面Ｄ１８に示すように、「作業完了」というメッセージと「初期画面へ」ボタンをタッチパネル３１に表示する。そして、「初期画面へ」ボタンがクリックされると、第１の画面Ｄ１の状態に戻るものである。
【００３１】
このように、この自動電圧調整器操作支援システム１および自動電圧調整器操作支援システム１を用いた素通し操作作業方法によれば、素通し操作作業のあるステップにおいて自動電圧調整器２の状態を確認する必要がある場合には、自動電圧調整器２の状態が所定の状態か否かが人によらず自動で判断され、所定の状態の場合にのみ次のステップに進む。つまり、自動電圧調整器２の状態が所定の状態でない場合には、インターロックがかかるため、素通し操作作業を適正かつ安全に行うことが可能となる。
【００３２】
具体的には、上記のように、素通しタップに固定されているか否かが自動的に判断され、素通しタップに固定されている場合にのみ、次のステップに進むことができるため、素通し操作作業を適正かつ安全に行うことが可能となる。この結果、自動電圧調整器２や配電設備の損傷、損傷による停電、自動電圧調整器２の故障によって電圧調整ができなくなることなどを、防止することが可能となる。
【００３３】
しかも、携帯端末３のタッチパネル３１に作業手順の各ステップが表示されるため、この携帯端末３を所持することで複数の自動電圧調整器２に対応することが可能となる。
【００３４】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態における作業手順や各ステップ、各画面Ｄ１〜Ｄ１８は一例であり、この例に限らないのは勿論である。
【００３５】
ところで、上記の実施の形態では、携帯端末３のタッチパネル３１に作業手順の各ステップを表示しているが、自動電圧調整器２自体に表示して携帯端末３を不要にしてもよい。すなわち、素通しタップを備えた自動電圧調整器２において、制御盤に表示部と入力部を備えるとともに、自動電圧調整器２の状態を確認等する回路・プログラム（上記の素通しタスク（操作支援部）３４に相当）を備える。
【００３６】
そして、自動電圧調整器２自体に素通し操作作業に関する作業手順を記憶し、作業手順に含まれる複数のステップを表示部に順次表示する。この際、あるステップにおいて自動電圧調整器２の状態を確認する（素通しタップに固定されているか否かを確認する）必要がある場合に、自動電圧調整器２の状態が所定の状態の場合（素通しタップに固定されている場合）にのみ、次のステップに進んで表示部に表示するようにしてもよい。
【符号の説明】
【００３７】
１        自動電圧調整器操作支援システム
２        自動電圧調整器
２１      タップ表示窓
２２      タップ切替スイッチ
３        携帯端末
３１      タッチパネル（表示部、入力部）
３２      通信部
３３      メモリ
３４      素通しタスク（操作支援部）
１１１    上流側開閉器
１１２    下流側開閉器
１１３    素通し開閉器
Ｍ        作業者
【図１】
2020188620.tif 000003
【図２】
2020188620.tif 000004
【図３】
2020188620.tif 000005
【図４】
2020188620.tif 000006
【図５】
2020188620.tif 000007
【図６】
2020188620.tif 000008
【図７】
2020188620.tif 000009